(57)【特許請求の範囲】
【請求項１】
略筒体を扁平に潰すことにより底面と天井面が形成された収納胴部と、上記収納胴部の両端開口縁部から延設され開口縁部に沿って折り返すことにより開口をそれぞれ塞ぐことのできる蓋部と、上記収納胴部の内側に沿って軸方向に摺動自在に取り付けられ上記収納胴部からその先端側が出入りするようになっているシャベル部とを備え、上記シャベル部には、上記収納胴部の底面に沿うシャベル面と、上記シャベル面の左右両側縁部に延設され折り返されて上記収納胴部の天井面に沿うアーム部とが設けられており、上記シャベル部を内蔵した収納胴部に中空部を形成した状態で、収納胴部の一端開口を蓋部で塞ぎ、収納胴部の他端開口からシャベル部先端側を引き出して動物の糞を取り、糞ごと収納胴部内に収納してその開口を蓋部で塞ぐことにより密閉して、そのまま処分できるようになっていることを特徴とする動物の糞処理具。
【請求項２】
上記収納胴部、蓋部およびシャベル部が、全て紙材からなるシートにより形成されている請求項１記載の動物の糞処理具。
【発明の詳細な説明】
【０００１】
【発明の属する技術分野】
本発明は、犬や猫等の動物の糞処理具に関するものである。
【０００２】
【従来の技術】
従来から、犬や猫等の動物の糞を処理する際、例えば、糞を取るためのシャベル、糞を包むための新聞紙やティッシュペーパー、およびその糞を回収するための紙袋やビニール袋といった用具を用いて処理が行われてきた。特に、犬を散歩させる際、その飼い主は、これらの用具を携帯しながら散歩させることにより、公衆衛生を害さないよう努めなければならなかった。
【０００３】
【発明が解決しようとする課題】
しかしながら、シャベル，新聞紙等は嵩張るため、散歩に携帯するのに邪魔である。また、糞を新聞紙やティッシュペーパーで包んだだけのものは、手で持ちにくいだけでなく、臭いが漏れやすいため、そのままゴミ箱に捨てるには問題がある。他方、ビニール袋にこれらを入れると持ちやすいが、ゴミ処理上、ビニール袋を紙類を分別することが要求されている地域では、これをそのままゴミ箱に捨てることができない。
【０００４】
本発明は、このような事情に鑑みなされたもので、携帯性に優れており、回収した糞の臭いが漏れにくく、処理もしやすい、動物の糞処理具の提供をその目的とする。
【０００５】
【課題を解決するための手段】
上記の目的を達成するため、本発明の動物の糞処理具は、略筒体を扁平に潰すことにより底面と天井面が形成された収納胴部と、上記収納胴部の両端開口縁部から延設され開口縁部に沿って折り返すことにより開口をそれぞれ塞ぐことのできる蓋部と、上記収納胴部の内側に沿って軸方向に摺動自在に取り付けられ上記収納胴部からその先端側が出入りするようになっているシャベル部とを備え、上記シャベル部には、上記収納胴部の底面に沿うシャベル面と、上記シャベル面の左右両側縁部に延設され折り返されて上記収納胴部の天井面に沿うアーム部とが設けられており、上記シャベル部を内蔵した収納胴部に中空部を形成した状態で、収納胴部の一端開口を蓋部で塞ぎ、収納胴部の他端開口からシャベル部先端側を引き出して動物の糞を取り、糞ごと収納胴部内に収納してその開口を蓋部で塞ぐことにより密閉して、そのまま処分できるようになっているという構成をとる。
【０００６】
【発明の実施の形態】
つぎに、本発明の実施の形態について説明する。
【０００７】
図１は、本発明に係る動物の糞処理具の一実施例を示している。この糞処理具１は、公衆衛生を害さないよう動物の糞を回収するためのもので、収納胴部２と、上記収納胴部２の両端開口縁部から延設された蓋部５と、上記収納胴部２に内装されたシャベル部３とで構成されている。さらに、上記シャベル部３にはつまみ部４が延設されており、このつまみ部４は、収納胴部２の天井面２２に穿設されたスリット６を嵌挿して外部に突出している。なお、図に示す態様は、未使用時の態様であり、省スペースとなるよう、全体が扁平に潰されている。
【０００８】
上記収納胴部２および蓋部５は、１枚の紙製シート（厚さ０．７ｍｍの厚紙）を所定の形状に切り取ったものを折り曲げて貼り合わせることにより形成されている。より詳しく説明すると、この紙製シートからなる台紙７は、展開すると図２に示すようになっている。すなわち、この台紙７は、折り目Ｘを介して連結される底面２１と天井面２２とを有し、上記天井面２２の中央に、長手方向に沿ってスリット６が穿設されている。また、上記底面２１と天井面２２の上下両端縁部（収納胴部２を形成した場合に両端開口縁部となる部分）が、それぞれ略半円弧状に形成されており、天井面２２の上下両端縁部および底面２１の下端縁部を、略半円弧状の折り目Ｙに沿って折り返すと、その個所が蓋部５に形成されるようになっている（図５参照）。なお、上記底面２１の側縁部には、のり代８が延設されており、この部分を天井面２２の向かって右側縁部と貼り合わせることにより、全体を略筒状に成形することができる。
【０００９】
また、上記収納胴部２（図１参照）に内装されるシャベル部３は、１枚の紙製シート（厚さ０．７ｍｍの厚紙）を所定の形状に切り取ったものを折り曲げることにより形成されている。より詳しく説明すると、この紙製シートからなる台紙９は、展開すると図３に示すようになっている。すなわち、この台紙９は、縦長の略長方形状のシャベル面１０と、上記シャベル面１０の左右両側縁部に延設されたアーム部１１と、上記左右のアーム部１１に延設された延設片１２とにより構成されている。そして、上記左右の延設片１２には、それぞれ切り起し片１２’が形成されている。また、上記シャベル面１０の先端縁部は、略半円弧状に形成されている。
【００１０】
上記台紙７および台紙９を用い、つぎのようにして図１に示す糞処理具１を形成することができる。すなわち、まず、図２に示すように、台紙７を折り目Ｘに沿って山折りに折り返し、さらに、底面２１の側縁部に沿って、のり代８が延設された個所を山折りに折り返し、こののり代８を、天井面２２の裏面と重なり合う個所に貼り合わせることにより、略筒体を扁平に潰した形状の収納胴部２を形成する。他方、図３に示すように、台紙９のうち、左右のアーム部１１を折り目Ｚに沿って谷折りに折り返し、左右の延設片１２を突き合わせて、互いの切り起し片１２’により係合させて、シャベル部３を形成する。なお、上記２つの延設片１２は、一体的に係合されて一つのつまみ部４を形成する。そして、上記シャベル部３先端側が収納胴部２の上端と同一方向を向くよう、シャベル部３を収納胴部２に内装し、かつ、シャベル部３に延設されたつまみ部４を、収納胴部２の側面に穿設されたスリット６を嵌挿して外部に突出させる。このようにして、目的とする糞処理具１を形成することができる。
【００１１】
なお、上記糞処理具１は、先にも述べたように、未使用時には、図１に示すように、省スペースとなるよう扁平に潰されているため、携帯性に優れている。
【００１２】
そして、実際に使用する場合には、左右側縁部を片手の親指と中指で押し膨らませ、全体を略筒状にし、中空にする。そして、シャベル部３先端側と反対の開口を、その開口縁部から延設された２つの蓋部５を折り目Ｙに沿って折り返して塞ぐことにより、図４に示すように、全体をちり取り形状にすることができる。
【００１３】
この状態では、収納胴部２内に中空部１３が形成されており、収納胴部２の底面２１の湾曲に沿って、シャベル部３のシャベル面１０が湾曲される。そこで、上記シャベル部３に延設されたつまみ部４を、収納胴部２の天井面２２に穿設されたスリット６に沿ってスライドさせることにより、上記シャベル部３を収納胴部２の内側に沿って軸方向に摺動させ、収納胴部２からシャベル部３先端側を引き出すことができる。この状態で、地面に落ちた糞をすくい取ることができる。あるいは、この状態で、排便された糞を受け止めることができる。
【００１４】
つぎに、上記つまみ部４を引いて、シャベル部３を糞ごと収納胴部２内の中空部１３に引き入れて収納し、シャベル部３先端側の開口を、その開口縁部から延設された蓋部５を折り目Ｙに沿って折り返すことにより、図５に示すような形状にする。これにより、シャベル部３が出入りした側の開口が蓋部５により塞がれ、回収された糞が、糞処理具１内に密閉されるようになる。
【００１５】
このようにして密閉された上記糞処理具１は、全て紙材からなるため、糞を密封したままの状態で焼却処分しても、なんら問題がなく、そのまま、ゴミとして捨てることができる。したがって、衛生的である。また、上記糞処理具１は密閉されているため、回収した糞の臭いが漏れにくい。
【００１６】
図６は、本発明の他の実施例を示している。このものは、シャベル部３先端側の開口を塞ぐ蓋部５’を、天井面２２から折り返す部分と底面２１から折り返す部分の２つ備えており、この構造は、先に述べた実施例における、シャベル部３先端側と反対の開口を塞ぐ蓋部５と同様のものである。すなわち、上記蓋部５’も２重に折り返されるため、回収した糞の臭いが、より漏れにくくなり、さらに、糞を取る際にシャベル部３先端が汚れた場合でも、シャベル部先端が収納胴部内に完全に収納できるため、より衛生的に糞を回収することができる。
【００１７】
なお、本発明の動物の糞処理具において、上記実施例にみられるようなつまみ部４およびスリット６の形状や配置等は特に限定されるものではなく、例えば、図７に示すように、収納胴部２’の側面において対峙する２ヶ所に、つまみ部４’およびスリット６’を設けるようにしてもよい。また、上記実施例のように、つまみ部４やスリット６を設けて、シャベル部３を収納胴部２の内側に沿って軸方向に摺動させるのではなく、収納胴部２の所定個所に穴を穿設し、その個所から棒を差し込み、差し込まれた棒の先端にシャベル部３を接着して、この棒の抜き差しにより、シャベル部３を摺動させるようにしてもよい。あるいは、棒に代えて、紙材等からなるべろをシャベル部３から延設し、シャベル部３を引き出す時は手で引き出し、シャベル部３を収納胴部２内に引き込む時は上記べろを引っ張ることにより、シャベル部３を摺動させるようにしてもよい（図示せず）。
【００１８】
なお、本発明の動物の糞処理具は、その形成材料は特に限定されるものではなく、例えば、剛性プラスチックシート等を用いてもよいが、全て紙材からなるシートにより形成されている場合、先に述べたように、糞を密封したままで容易に焼却処分することができるため、より好ましい。また、紙材からなるシートを用いることにより、原料コストが安価となり、さらに、古紙を用いてもよいため、リサイクル紙材を活用することができる。
【００１９】
【発明の効果】
以上のように、本発明の動物の糞処理具は、携帯時には、省スペースとなるよう扁平に潰すことができ、糞を回収する時には、収納胴部の一端開口を蓋部で塞いで、収納胴部内に中空部を形成した状態でシャベル部の先端側を手前に引き出し、これにより動物の糞を取ることができる。そして、上記シャベル部を、糞ごと収納胴部内の中空部に収納し、シャベル部先端側の開口を蓋部で塞ぐことにより、回収した糞を密閉することができる。したがって、上記糞処理具によれば、携帯時には邪魔にならず、使用時には、手を汚さず糞を処理でき、他に別段の用具を要しない。また、回収した糞は密閉されるため、臭いが漏れにくく、取り扱いやすい。
【００２０】
特に、上記糞処理具を構成する収納胴部、蓋部およびシャベル部を、全て紙材からなるシートにより形成した場合には、糞を収納したままで使い捨てにし、容易に焼却処分することができる。また、紙材からなるシートを用いることにより、原料コストが安価となり、さらに、古紙を用いてもよいため、リサイクル紙材を活用することができる。そして、使い捨てできることにより、器具の洗浄を必要としない。
【図面の簡単な説明】
【図１】本発明の一実施例を示す斜視図である。
【図２】上記実施例に用いる台紙の展開した状態の説明図である。
【図３】上記実施例に用いる台紙の展開した状態の説明図である。
【図４】上記実施例の他の使用態様を示す斜視図である。
【図５】上記実施例のさらに他の使用態様を示す斜視図である。
【図６】本発明の他の実施例を示す斜視図である。
【図７】本発明のさらに他の実施例を示す斜視図である。
【符号の説明】
２    収納胴部
３    シャベル部
５    蓋部
１３  中空部
【図１】
0003646866.tif 000002
【図２】
0003646866.tif 000003
【図３】
0003646866.tif 000004
【図４】
0003646866.tif 000005
【図５】
0003646866.tif 000006
【図６】
0003646866.tif 000007
【図７】
0003646866.tif 000008